(57)【特許請求の範囲】
【請求項１】
制御信号を伝送する第１の伝送線と、音声信号を伝送する第２の伝送線を介して制御装置へ接続可能になっている記録装置において、
前記第１の伝送線を介して前記制御装置から受信した記録に関する制御信号に対して、前記制御装置への記録可否の応答が必要であるか否かを判定する判定手段と、
前記判定手段が応答が必要であると判断したとき、前記第２の伝送線を前記制御装置への応答線へ切替える切替手段と、
前記切替手段により前記第２の伝送線を前記制御装置への応答線へ切替えた後、前記第２の伝送線を介して前記制御装置へ記録可否の応答を送信する応答送信手段と、
前記第２の伝送線を介して前記制御装置へ記録可否の応答を送信後、前記第２の伝送線を音声信号の伝送へ切替える前記切替手段と、
を備えていることを特徴とする記録装置。
【請求項２】
制御信号を伝送する第１の伝送線と、音声信号を伝送する第２の伝送線を介して制御装置へ接続可能になっている記録装置において、
前記第１の伝送線を介して前記制御装置から記録に関する制御信号を受信すると、前記第２の伝送線を音声信号の伝送から応答線へ所定時間だけ切替えその後は音声信号の伝送へ戻す切替手段と、
前記制御信号に対して前記制御装置へ応答が必要であれば、前記切替手段により前記第２の伝送線を前記制御装置への応答線へ切替えた後、前記第２の伝送線の応答線への切替中の当該第２の伝送線を介して前記制御装置へ記録可否の応答を送信する応答送信手段と、
を備えていることを特徴とする記録装置。
【請求項３】
第１の伝送線は４極ステレオケーブルにおける制御線であり、第２の伝送線は４極ステレオケーブルにおける左又は右の音声の伝送線であることを特徴とする請求項１又は２記載の記録装置。
【請求項４】
前記制御装置から受信した音声信号を記録する記録手段を更に備え、
前記制御装置への記録可否の応答が必要である制御信号とは、前記記録手段への記録の準備若しくは記録の開始を指示する制御信号であることを特徴とする請求項１〜３のいずれかに記載の記録装置。
【請求項５】
前記制御装置はディスク再生装置を備えることを特徴とする請求項１〜４のいずれかに記載の記録装置。
【請求項６】
制御信号を伝送する第１の伝送線と、音声信号を伝送する第２の伝送線を介して記録装置へ接続可能になっている制御装置において、
前記第１の伝送線を介して前記記録装置へ記録に関する制御信号を送信する制御信号送信手段と、
前記制御信号に対する前記記録装置からの記録可否の応答を待つ必要がある否かを判定する判定手段と、
前記判定手段が応答を待つ必要があると判断したとき、前記第２の伝送線を前記記録装置から前記制御装置への応答線へ切替える切替手段と、
前記切替手段により前記第２の伝送線を前記記録装置からの応答線に切替えた後、前記第２の伝送線の応答線への切替中の当該第２の伝送線を介して前記記録装置からの記録可否の応答を受信する応答受信手段と、
前記第２の伝送線を介して前記記録装置からの応答の受信後、前記第２の伝送線を音声信号の伝送へ切替える前記切替手段と、
を備えていることを特徴とする制御装置。
【請求項７】
制御信号を伝送する第１の伝送線と、音声信号を伝送する第２の伝送線を介して記録装置へ接続可能になっている制御装置において、
前記第１の伝送線を介して前記記録装置へ記録に関する制御信号を送信する制御信号送信手段と、
前記第１の伝送線を介して前記記録装置へ制御信号を送信してから、所定時間内は前記第２の伝送線を音声信号の伝送から応答線へ切替えその後は音声信号の伝送へ戻す切替手段と、
前記切替手段により前記第２の伝送線を応答線に切替えた前記所定時間内に限り前記第２の伝送線を介して記録可否の応答を受信する応答受信手段と、
を備えていることを特徴とする制御装置。
【請求項８】
制御信号を伝送する第１の伝送線と、音声信号を伝送する第２の伝送線を介して制御装置へ接続可能になっている記録装置の制御方法において、
前記第１の伝送線を介して前記制御装置から受信した記録に関する制御信号に対して、前記制御装置への記録可否の応答が必要であるか否かを判定する判定ステップと、
前記判定ステップにおいて応答が必要であると判断したとき、前記第２の伝送線を前記制御装置への応答線へ切替える第１の切替ステップと、
前記第１の切替ステップにおいて前記第２の伝送線を前記制御装置への応答線へ切替えた後、前記第２の伝送線を介して前記制御装置へ記録可否の応答を送信する応答送信ステップと、
前記第２の伝送線を介して前記制御装置へ記録可否の応答を送信後、前記第２の伝送線を音声信号の伝送へ切替える第２の切替ステップと、
を備えていることを特徴とする記録装置の制御方法。
【請求項９】
制御信号を伝送する第１の伝送線と、音声信号を伝送する第２の伝送線を介して制御装置へ接続可能になっている記録装置の制御方法において、
前記第１の伝送線を介して前記制御装置から記録に関する制御信号を受信すると、前記第２の伝送線を音声信号の伝送から応答線へ所定時間だけ切替えその後は音声信号の伝送へ戻す切替ステップと、
前記制御信号に対して前記制御装置へ応答が必要であれば、前記切替ステップにおいて前記第２の伝送線を前記制御装置への応答線へ切替えた後、前記第２の伝送線の応答線への切替中の当該第２の伝送線を介して前記制御装置へ記録可否の応答を送信する応答送信ステップと、
を備えていることを特徴とする記録装置の制御方法。
【請求項１０】
制御信号を伝送する第１の伝送線と、音声信号を伝送する第２の伝送線を介して記録装置へ接続可能になっている制御装置の制御方法において、
前記第１の伝送線を介して前記記録装置へ記録に関する制御信号を送信する制御信号送信ステップと、
前記制御信号に対する前記記録装置からの記録可否の応答を待つ必要がある否かを判定する判定ステップと、
前記判定ステップにおいて応答を待つ必要があると判断したとき、前記第２の伝送線を前記記録装置から前記制御装置への応答線へ切替える第１の切替ステップと、
前記切替ステップにおいて前記第２の伝送線を前記記録装置からの応答線に切替えた後、前記第２の伝送線の応答線への切替中の当該第２の伝送線を介して前記記録装置からの記録可否の応答を受信する応答受信ステップと、
前記第２の伝送線を介して前記記録装置からの応答の受信後、前記第２の伝送線を音声信号の伝送へ切替える第２の切替ステップと、
を備えていることを特徴とする制御装置の制御方法。
【請求項１１】
制御信号を伝送する第１の伝送線と、音声信号を伝送する第２の伝送線を介して記録装置へ接続可能になっている制御装置の制御方法において、
前記第１の伝送線を介して前記記録装置へ記録に関する制御信号を送信する制御信号送信ステップと、
前記第１の伝送線を介して前記記録装置へ制御信号を送信してから、所定時間内は前記第２の伝送線を音声信号の伝送から応答線へ切替えその後は音声信号の伝送へ戻す切替ステップと、
前記切替えステップにより前記第２の伝送線を応答線に切替えた前記所定時間内に限り前記第２の伝送線を介して記録可否の応答を受信する応答受信ステップと、
を備えていることを特徴とする制御装置の制御方法。
【発明の詳細な説明】
【技術分野】
【０００１】
本発明は、例えばポータブルＨＤＤ録再機器等の記録及び／又は再生装置、制御装置及び制御方法に関するものである。
【背景技術】
【０００２】
図１２は従来のＣＤシステム機器１１０及びポータブルＨＤＤ録再機器１１１の構成及び接続状態についての概略図である。後述の本発明の最良の形態において説明するＣＤシステム機器１０及びポータブルＨＤＤ録再機器１２と共通部分は同一の符号で指示して、それらの説明は省略し、主要点についてのみ説明する。
【０００３】
ＣＤシステム機器１１０とポータブルＨＤＤ録再機器１１１とを２本の４極ステレオミニケーブル１１５，１１６により相互に接続し、ＣＤシステム機器１１０からの制御により、ポータブルＨＤＤ録再機器１１１のＨＤＤ１８に記録されている楽曲の再生音をＣＤシステム機器１１０のスピーカ（図示せず）から出力させたり、ＣＤシステム機器１１０におけるＣＤの楽曲データをＣＤシステム機器１１０からポータブルＨＤＤ録再機器１１１へ送って、ＨＤＤ１８へ記録したりすることが提案済みないしは公知になっている。ユーザは、ＣＤシステム機器１１０からの楽曲データをポータブルＨＤＤ録再機器１１１のＨＤＤ１８に記録後、ポータブルＨＤＤ録再機器１１１をＣＤシステム機器１１０から切り離して、携帯し、携帯中、ＨＤＤ１８内に記録した楽曲をポータブルＨＤＤ録再機器１１１において適宜、再生し、その再生音をポータブルＨＤＤ録再機器１１１のヘッドホンから聴くことができる。
【０００４】
ポータブルＨＤＤ録再機器１１１のＨＤＤ１８に記録されている楽曲をＣＤシステム機器１１０のスピーカにおいて再生する場合、４極ステレオミニケーブル１１６の線Ｃ（制御信号線）を介してＣＤシステム機器１１０からポータブルＨＤＤ録再機器１１１へ再生要求の制御信号が伝送されるとともに、楽曲の再生信号は、４極ステレオミニケーブル１１６の線Ｌ（左側音声信号線）及び線Ｒ（右側音声信号線）を介してポータブルＨＤＤ録再機器１１１からＣＤシステム機器１１０へ伝送される。
【０００５】
ＣＤシステム機器１１０におけるＣＤの楽曲をポータブルＨＤＤ録再機器１１１のＨＤＤ１８に記録する場合には、４極ステレオミニケーブル１１６の線Ｃを介してＣＤシステム機器１１０からポータブルＨＤＤ録再機器１１１へ記録要求の制御信号が伝送され、これに対して、ポータブルＨＤＤ録再機器１１１は、記録可能である場合には、４極ステレオミニケーブル１１５の線Ｃを介してポータブルＨＤＤ録再機器１１１からＣＤシステム機器１１０へ了承する旨の制御信号が伝送され、この後、ＣＤシステム機器１１０は、楽曲の再生信号を４極ステレオミニケーブル１１５の音声信号線Ｌ及びＲを介してポータブルＨＤＤ録再機器１１１へ伝送する。
【０００６】
４極ステレオミニケーブルは、制御信号の伝送線を１本しか有しておらず、また、音声信号の伝送線Ｌ及びＲは、一方通行の伝送であるので、従来のＣＤシステム機器１１０及びポータブルＨＤＤ録再機器１１１では、４極ステレオミニケーブル１１５，１１６の２本の４極ステレオミニケーブルが必要となっている。
【０００７】
特許文献１は、携帯電話機へオーディオ機器を接続して、オーディオ機器からの再生音を携帯電話機内の記憶装置に記録する場合に、市販のプラグが使用できるようにした携帯電話機を開示する（特許文献１の段落００１７）。該電話機では、オーディオ機器からの再生音を該電話機内の記憶装置へ記録する場合には、イヤホンマイク接続ジャックへオーディオ機器を接続するとともに、通話時や該電話機の記憶装置のオーディオの再生時と、オーディオ機器からの再生音の記録時とで、イヤホンマイク接続ジャックの各端子と各アンプとの接続を切り替えるようになっている（特許文献１の図１等のイヤホンマイク接続ジャック２、アンプ１４Ａ〜１４Ｅ及びスイッチ回路１２）。
【特許文献１】特開２００４−５６４８５号公報
【発明の開示】
【発明が解決しようとする課題】
【０００８】
従来の４極ステレオケーブルは、制御信号の伝送線が１本しかないので、例えば、ＣＤシステム機器１１０からポータブルＨＤＤ記録再生機器１１１の録音を準備するよう指示する制御信号を制御信号線を使って伝送する場合、準備ができた旨を通知する応答信号を伝送することができない。
【０００９】
特許文献１は、携帯電話機のイヤホンマイク接続ジャックの共通の端子を、イヤホンマイクの接続時（特許文献１の図２）では、オーディオ出力用として使用し、また、オーディオ機器接続時（特許文献１の図１）では、オーディオ入力用として使用することを開示するのみである。特許文献１の携帯電話機は、オーディオ機器接続時には、該オーディオ機器からの再生音を記憶装置へ記録することはできるが、オーディオ機器接続時に、携帯電話機内の記憶装置のオーディオを該オーディオ機器へ送信して、該オーディオ機器で再生するようにはなっていない。
【００１０】
特許文献１は、携帯電話機内のイヤホンマイク接続ジャックのオーディオ信号用の各端子と各オーディオ信号用の各アンプとの接続を切り替えることのみの開示に止まり、携帯電話機及びオーディオ機器の一方から他方への制御信号及び該制御信号に対するに他方の機器からの一方の機器への応答に基づく、オーディオ信号用伝送線とオーディオ信号用ジャック端子との切替関係についてはなんら言及していない。
【００１１】
本発明の目的は、４極ステレオミニケーブルのような制御線が１本しかないケーブルにもかかわらず、記録及び／又は再生装置−制御装置間の双方向の制御信号及びデータの伝送を可能とする記録及び／又は再生装置、制御装置及び制御方法を提供することである。
【課題を解決するための手段】
【００１２】
本発明の記録及び／又は再生装置は、制御信号を伝送する第１の伝送線と、音声信号を伝送する第２の伝送線を介して制御装置へ接続可能になっている。該記録及び／又は再生装置は、第１の伝送線を介して制御装置から受信した制御信号が、制御装置への応答が必要であるか否かを判定する判定手段と、判定手段が応答が必要であると判断したとき、第２の伝送線を制御装置への応答線へ切替える切替手段と、第２の伝送線を介して制御装置へ応答を送信する応答送信手段と、
第２の伝送線を介して制御装置へ応答を送信後、第２の伝送線を音声信号の伝送へ切替える切替手段と、を備えている。
【００１３】
本発明の別の記録及び／又は再生装置は、制御信号を伝送する第１の伝送線と、音声信号を伝送する第２の伝送線を介して制御装置へ接続可能になっている。該別の記録及び／又は再生装置は、第１の伝送線を介して制御装置から制御信号を受信すると、第２の伝送線を音声信号の伝送から応答線へ所定時間だけ切替えその後は音声信号の伝送へ戻す切替手段と、制御信号に対して制御装置へ応答が必要であれば、第２の伝送線の応答線への切替中の当該第２の伝送線を介して制御装置へ応答を送信する応答送信手段と、を備えている。
【００１４】
本発明の制御装置は、制御信号を伝送する第１の伝送線と、音声信号を伝送する第２の伝送線を介して記録及び／又は再生装置へ接続可能になっている。該制御装置は、第１の伝送線を介して記録及び／又は再生装置へ制御信号を送信する制御信号送信手段と、制御信号に対する記録及び／又は再生装置からの応答を待つ必要がある否かを判定する判定手段と、判定手段が応答を待つ必要があると判断したとき、第２の伝送線を記録及び／又は再生装置から制御装置への応答線へ切替える切替手段と、第２の伝送線の応答線への切替中の当該第２の伝送線を介して記録及び／又は再生装置からの応答を受信する応答受信手段と、第２の伝送線を介して記録及び／又は再生装置からの応答の受信後、第２の伝送線を音声信号の伝送へ切替える切替手段と、を備えている。
【００１５】
本発明の別の制御装置は、制御信号を伝送する第１の伝送線と、音声信号を伝送する第２の伝送線を介して記録及び／又は再生装置へ接続可能になっている。該別の制御装置は、第１の伝送線を介して記録及び／又は再生装置へ制御信号を送信する制御信号送信手段と、第１の伝送線を介して記録及び／又は再生装置へ制御信号を送信してから、所定時間内は第２の伝送線を音声信号の伝送から応答線へ切替えその後は音声信号の伝送へ戻す切替手段と、所定時間内に限り第２の伝送線を介して応答を受信する応答受信手段と、を備えている。
【００１６】
本発明の制御方法は、制御信号を伝送する第１の伝送線と、音声信号を伝送する第２の伝送線を介して制御装置へ接続可能になっている記録及び／又は再生装置に適用される。該制御方法は、第１の伝送線を介して制御装置から受信した制御信号が、制御装置への応答が必要であるか否かを判定するステップと、判定手段が応答が必要であると判断したとき、第２の伝送線を制御装置への応答線へ切替えるステップと、第２の伝送線を介して制御装置へ応答を送信するステップと、第２の伝送線を介して制御装置へ応答を送信後、第２の伝送線を音声信号の伝送へ切替えるステップと、を備えている。
【００１７】
本発明の別の制御方法は、制御信号を伝送する第１の伝送線と、音声信号を伝送する第２の伝送線を介して制御装置へ接続可能になっている記録及び／又は再生装置に適用される。該別の制御方法は、第１の伝送線を介して制御装置から制御信号を受信すると、第２の伝送線を音声信号の伝送から応答線へ所定時間だけ切替えその後は音声信号の伝送へ戻すステップと、制御信号に対して制御装置へ応答が必要であれば、第２の伝送線の応答線への切替中の当該第２の伝送線を介して制御装置へ応答を送信するステップと、を備えている。
【００１８】
本発明の制御方法は、制御信号を伝送する第１の伝送線と、音声信号を伝送する第２の伝送線を介して記録及び／又は再生装置へ接続可能になっている制御装置に適用される。該制御方法は、第１の伝送線を介して記録及び／又は再生装置へ制御信号を送信するステップと、制御信号に対する記録及び／又は再生装置からの応答を待つ必要がある否かを判定するステップと、判定手段が応答を待つ必要があると判断したとき、第２の伝送線を記録及び／又は再生装置から制御装置への応答線へ切替えるステップと、第２の伝送線の応答線への切替中の当該第２の伝送線を介して記録及び／又は再生装置からの応答を受信するステップと、第２の伝送線を介して記録及び／又は再生装置からの応答の受信後、第２の伝送線を音声信号の伝送へ切替えるステップと、を備えている。
【００１９】
本発明の別の制御方法は、制御信号を伝送する第１の伝送線と、音声信号を伝送する第２の伝送線を介して記録及び／又は再生装置へ接続可能になっている制御装置に適用される。該別の制御方法は、第１の伝送線を介して記録及び／又は再生装置へ制御信号を送信するステップと、第１の伝送線を介して記録及び／又は再生装置へ制御信号を送信してから、所定時間内は第２の伝送線を音声信号の伝送から応答線へ切替えその後は音声信号の伝送へ戻すステップと、所定時間内に限り第２の伝送線を介して応答を受信するステップと、を備えている。
【発明の効果】
【００２０】
本発明によれば、ケーブルの第２の伝送線が一時的にデータ線から応答線へ切替わり、制御装置から記録及び／又は再生装置への制御信号に対して、記録及び／又は再生装置が応答する必要がある場合、該応答を第２の伝送線を介して記録及び／又は再生装置から制御装置へ伝送することができる。結果、記録及び／又は再生装置−制御装置間を、制御信号の伝送線が１本しかないケーブルにより接続して、制御信号、それに対する応答及び音声信号の伝送を実現することができる。
【発明を実施するための最良の形態】
【００２１】
図１はＣＤシステム機器１０及びポータブルＨＤＤ録再機器１２の接続状態を示している。ＣＤシステム機器１０及びポータブルＨＤＤ録再機器１２の詳細な構成はそれぞれ図２及び図１に分けて示している。
【００２２】
ポータブルＨＤＤ録再機器１２は、ユーザが衣服のポケット等へ格納して、携帯できる寸法及び重量である。ユーザは、ポータブルＨＤＤ録再機器１２の保有楽曲を聴取するときは、ヘッドホン（図示せず）を介して聴取する。ポータブルＨＤＤ録再機器１２は、保有楽曲のデータを例えばＭＰ３やＷＭＡのファイルを暗号化したファイルで保有する。
【００２３】
図１において、４極ステレオミニケーブル２２における線Ｌ，Ｒ，Ｇ，Ｃは、それぞれ音声Ｌ（左）の信号線、音声Ｒ（右）の信号線、グランド線及び制御線を示している。Ｌ，Ｒはデータ線である。４極ステレオミニケーブル２２は、音声信号Ｌ，Ｒを線Ｌ，Ｒにより双方向へ伝送する。４極ステレオミニケーブル２２は、また、制御信号を線ＣによりＣＤシステム機器１０からポータブルＨＤＤ録再機器１２への一方向へ伝送する。
【００２４】
図１において、ポータブルＨＤＤ録再機器１２は、スイッチ１３、マイコン１４、Ａ／Ｄ１５、Ｄ／Ａ１６、ＤＳＰ１７及びＨＤＤ１８を有している。
【００２５】
マイコン１４は、４極ステレオミニケーブル２２の線Ｃを介してＣＤシステム機器１０から受信した制御信号に基づき、スイッチ１３及びＤＳＰ１７へ所定の制御信号を送る。スイッチ１３は、マイコン１４からの制御により線Ｌ，ＲをＡ／Ｄ１５又はＤ／Ａ１６へ接続する。スイッチ１３は、また、マイコン１４からの制御に基づき、特定の一時期だけ、マイコン１４を線Ｌへ接続して、マイコン１４からＣＤシステム機器１０のマイコン３０（図２）への応答に係る制御信号を線Ｌへ送る。なお、マイコン１４の応答に係る制御信号は線Ｌの代わりに線Ｒを使用することもできる。
【００２６】
Ａ／Ｄ１５は、スイッチ１３からのアナログ信号をデジタル信号へ変換して、ＤＳＰ１７へ送る。Ｄ／Ａ１６は、ＤＳＰ１７からのデジタル信号をアナログ信号へ変換して、スイッチ１３へ送る。
【００２７】
ＤＳＰ１７は、Ａ／Ｄ１５からのデジタル信号を所定のフォーマットのデジタルデータへ符号化し、ＨＤＤ１８に記録する。ＤＳＰ１７は、マイコン１４からの指定のあった楽曲のデータをＨＤＤ１８から読出し、それを復号してから、Ｄ／Ａ１６へ送る。
【００２８】
図２において、ＣＤシステム機器１０は、スイッチ２７、Ｄ／Ａ２８、ＤＳＰ２９及びマイコン３０を有している。
【００２９】
スイッチ２７は、マイコン３０からの制御信号に基づき４極ステレオミニケーブル２２の線Ｌ，ＲをＤ／Ａ２８又はスピーカ用アンプ（図示せず）へ接続する。スイッチ２７は、マイコン３０の制御信号に基づき、所定の一時期に４極ステレオミニケーブル２２の線Ｌをマイコン３０へ接続して、線Ｌを介してポータブルＨＤＤ録再機器１２から送られて来る制御信号をマイコン３０へ送る。
【００３０】
ＤＳＰ２９は、ＣＤシステム機器１０におけるＣＤの楽曲をポータブルＨＤＤ録再機器１２のＨＤＤ１８へ記録する際には、該ＣＤから読み出した楽曲のデータをＤ／Ａ２８へ送る。Ｄ／Ａ２８は、ＤＳＰ２９からのデジタル信号をアナログ信号へ変換して、スイッチ２７へ送る。
【００３１】
ポータブルＨＤＤ録再機器１２のＨＤＤ１８に記録されている楽曲をＣＤシステム機器１０のスピーカにおいて再生する場合、ＣＤシステム機器１０のマイコン３０は、４極ステレオミニケーブル２２の線Ｃを介してポータブルＨＤＤ録再機器１２のマイコン１４へ再生要求の制御信号を送る。マイコン１４は、該制御信号を受信すると、スイッチ１３へＤ／Ａ１６を４極ステレオミニケーブル２２の線Ｌ，Ｒへ接続する制御信号を送るとともに、ＤＳＰ１７へＨＤＤ１８から所定の楽曲のデータを処理する制御信号を送る。
【００３２】
ＤＳＰ１７は、マイコン１４からの制御信号に基づき、ＨＤＤ１８から所定の楽曲に係るデータを読出し、それを復号して、Ｄ／Ａ１６へ送る。Ｄ／Ａ１６はＤＳＰ１７からのデジタル信号をアナログ信号へ変換して、スイッチ１３へ送る。スイッチ１３は、Ｄ／Ａ１６からのアナログ信号を４極ステレオミニケーブル２２の線Ｌ，Ｒへ送る。
【００３３】
一方、ＣＤシステム機器１０では、マイコン３０は、ポータブルＨＤＤ録再機器１２のマイコン１４へ再生要求の制御信号を出した後、スイッチ２７へ、対応する制御信号を送る。これにより、スイッチ２７は、４極ステレオミニケーブル２２の線Ｌ，Ｒをスピーカ用アンプ側の線へ接続し、４極ステレオミニケーブル２２の線Ｌ，Ｒを介してポータブルＨＤＤ録再機器１２から伝送されて来る楽曲の再生信号を、スピーカ用アンプを経て左右のスピーカへ送る。こうして、ＣＤシステム機器１０における左右のスピーカから楽曲の再生音が出力される。
【００３４】
図３はＣＤシステム機器１０におけるＣＤの楽曲をポータブルＨＤＤ録再機器１２のＨＤＤ１８に記録する場合の４極ステレオミニケーブル２２の各線Ｃ，Ｌにおける信号波形を示している。図３では、信号線Ｌが使用されているが、信号線Ｌの代わりに信号線Ｒを使用することもできる。図３を参照しつつ、ＣＤシステム機器１０におけるＣＤの楽曲をポータブルＨＤＤ録再機器１２のＨＤＤ１８に記録する場合の作用について説明する。
【００３５】
マイコン３０は、時刻ｔ１において、記録要求の制御信号を４極ステレオミニケーブル２２の線Ｃを介してポータブルＨＤＤ録再機器１２のマイコン１４へ送信する。マイコン３０は、また、４極ステレオミニケーブル２２の線Ｌをマイコン３０へ接続する指示をスイッチ２７へ送る。
【００３６】
マイコン１４は、記録要求の制御信号を受信すると、ＨＤＤ１８へ楽曲のデータを追加することが可能であるか否かを調べ、可能であると判断すれば、スイッチ１３に、４極ステレオミニケーブル２２の線Ｌをマイコン１４へ接続する指示を出す。これにより、時刻ｔ２において、４極ステレオミニケーブル２２の線Ｌはマイコン１４へ接続される。なお、マイコン１４は、ＨＤＤ１８へ楽曲のデータを追加することが困難であると判断した場合には、マイコン３０へ何も返さないし、スイッチ１３における４極ステレオミニケーブル２２の線Ｌ，ＲとＤ／Ａ１６との接続を維持する。
【００３７】
マイコン１４は、時刻ｔ３において、了解の制御信号を発生し、該制御信号は４極ステレオミニケーブル２２の線Ｌを経て、ＣＤシステム機器１０へ送られる。マイコン１４は、この後、速やかに、スイッチ１３へ、４極ステレオミニケーブル２２の線Ｌ，ＲをＡ／Ｄ１５へ接続する指示を出す。これにより、時刻ｔ４において、４極ステレオミニケーブル２２の線Ｌ，ＲはＡ／Ｄ１５へ接続される。
【００３８】
一方、ＣＤシステム機器１０では、スイッチ２７は、４極ステレオミニケーブル２２の線Ｌをマイコン３０へ接続しているので、マイコン１４からの了解の制御信号はマイコン３０へ伝えられる。マイコン３０は、これを受けて、スイッチ２７へ、４極ステレオミニケーブル２２の線Ｌ，ＲをＤ／Ａ２８へ接続する指示を出すとともに、ＤＳＰ２９へ、ＣＤの楽曲のデータを生成する指示を出す。
【００３９】
この後、ＣＤの楽曲がＤＳＰ２９において所定のデジタル信号として生成され、該デジタル信号は、Ｄ／Ａ２８において、アナログ信号へ変換される。該アナログ信号は、記録データ信号としてスイッチ２７を経て４極ステレオミニケーブル２２の線Ｌ，Ｒを通り、ポータブルＨＤＤ録再機器１２へ送信される。
【００４０】
４極ステレオミニケーブル２２の線Ｌ，ＲをポータブルＨＤＤ録再機器１２へ伝送されてきた記録データ信号は、スイッチ１３を経てＡ／Ｄ１５へ送られて、Ａ／Ｄ１５においてデジタル信号へ変換される。ＤＳＰ１７は、Ａ／Ｄ１５からのデジタル信号を所定のフォーマットで符号化し、符号化したデータをＨＤＤ１８へ記録する。
【００４１】
マイコン３０は、マイコン１４へ記録要求の制御信号を送信した時から所定時間経過しても、マイコン１４より了解の制御信号を受信しなければ、ＨＤＤ１８へのＣＤシステム機器１０からの楽曲の記録は不能と判断し、今回の記録処理を中止する。
【００４２】
こうして、ＣＤシステム機器１０及びポータブルＨＤＤ録再機器１２を４極ステレオミニケーブル２２のみで接続するにもかかわらず、ＣＤシステム機器１０からポータブルＨＤＤ録再機器１２のＨＤＤ１８の楽曲データの書込み、及びポータブルＨＤＤ録再機器１２のＨＤＤ１８の楽曲についてのＣＤシステム機器１０における再生が支障なく実行される。
【００４３】
図４は記録及び／又は再生装置４０のブロック図である。なお、記録及び／又は再生装置４０、後述の記録及び／又は再生装置４６（図５）、制御装置５５（図６）及び制御装置６３（図７）に共通する技術事項は、記録及び／又は再生装置４０の説明においてまとめて説明する。記録及び／又は再生装置４０（図４）と制御装置５５（図６）とは、及び記録及び／又は再生装置４６（図５）と制御装置６３（図７）とは、第１及び第２の伝送線５１，５２を含むケーブル５０を介して制御装置５５へ相互に接続自在になっている。
【００４４】
記録及び／又は再生装置４０，４６の一例はポータブルＨＤＤ録再機器１２である。制御装置５５，６３の一例はＣＤシステム機器１０である。記録及び／又は再生装置４０，４６は、オーディオの記録及び／又は再生装置に限定されず、ビデオ等、他のコンテンツの録再装置であってもよい。制御装置５５，６３は、ＣＤ以外のディスクの再生装置付きシステム機器であってもよいし、チューナ付きシステム機器であってもよい。制御装置５５，６３がチューナ付きシステム機器である場合、ラジオ又はテレビの放送内容をコンテンツとするデータが記録及び／又は再生装置４０，４６の記憶装置（図示せず）に記憶される。なお、ポータブルＨＤＤ録再機器１２における記憶装置はＨＤＤ１８となっている。
【００４５】
記録及び／又は再生装置４０は、判定手段４１、切替手段４２及び応答送信手段４３を有している。判定手段４１は、第１の伝送線５１を介して制御装置５５から受信した制御信号に対して制御装置５５へ応答が必要であるか否かを判定する。切替手段４２は、判定手段４１の判定が正であれば、第２の伝送線５２を記録及び／又は再生装置４０から制御装置５５への応答線へ切替える。応答送信手段４３は、応答線としての第２の伝送線５２を介して制御装置５５へ応答を送信する。切替手段４２は、第２の伝送線５２を介して制御装置５５へ応答を送信後、第２の伝送線５２をデータ線へ切替える。
【００４６】
ケーブル５０の一例は４極ステレオミニケーブル２２である。ケーブル５０はミニ型でない４極ステレオケーブルであってもよい。第１及び第２の伝送線５１，５２の一例はそれぞれ４極ステレオミニケーブル２２のＣ線及びＬ線である。第２の伝送線５２は、４極ステレオミニケーブル２２のＲ線であってもよい。
【００４７】
制御装置５５，６３への応答が必要である制御信号とは、例えば制御装置５５，６３からのコンテンツデータを記録及び／又は再生装置４０，４６の記憶装置へ記録することを要求する制御信号である。
【００４８】
こうして、制御装置５５から記録及び／又は再生装置４０への制御信号に対して、記録及び／又は再生装置４０から制御装置５５へ応答が必要となる処理について、記録及び／又は再生装置４０と制御装置５５とは１本のケーブル５０のみにより接続されれば足り、接続作業やケーブル管理を合理化できる。
【００４９】
図５は記録及び／又は再生装置４６のブロック図である。記録及び／又は再生装置４６は、切替手段４７及び応答送信手段４８を有している。
【００５０】
切替手段４７は、第１の伝送線５１を介して制御装置６３から制御信号を受信すると、第２の伝送線５２をデータ線から応答線へ所定時間だけ切替え、その後はデータ線へ戻す。応答送信手段４８は、制御信号に対して制御装置６３へ応答が必要であれば、応答線への切替中の第２の伝送線５２を介して制御装置６３へ応答を送信する。
【００５１】
該記録及び／又は再生装置４６では、記録及び／又は再生装置４０（図４）における判定手段４１に相当するものを省略できる。
【００５２】
図６は制御装置５５のブロック図である。制御装置５５は、制御信号送信手段５６、判定手段５７、切替手段５８及び応答受信手段５９を有している。
【００５３】
制御信号送信手段５６は、第１の伝送線５１を介して記録及び／又は再生装置４０へ制御信号を送信する。判定手段５７は、制御信号に対する記録及び／又は再生装置４０からの応答を待つ必要がある否かを判定する。切替手段５８は、判定手段５７の判定が正であれば、第２の伝送線５２を記録及び／又は再生装置４０から制御装置６３への応答線へ切替える。
【００５４】
応答受信手段５９は、応答線としての第２の伝送線５２を介して記録及び／又は再生装置４０からの応答を受信する。切替手段５８は、また、第２の伝送線５２を介して記録及び／又は再生装置４０からの応答の受信後、第２の伝送線５２をデータ線へ切替える。
【００５５】
これにより、制御装置５５は、記録及び／又は再生装置４０とは１本のケーブル５０のみでしか接続されていないにもかかわらず、ＣＤ等のコンテンツのデータを支障なく記録及び／又は再生装置４０へ送信することができる。
【００５６】
図７は制御装置６３のブロック図である。制御装置６３は、制御信号送信手段６４、切替手段６５及び応答受信手段６６を有している。
【００５７】
制御信号送信手段６４は、第１の伝送線５１を介して記録及び／又は再生装置４６へ制御信号を送信する。切替手段６５は、第１の伝送線５１を介して記録及び／又は再生装置４６へ制御信号を送信してから、所定時間内は第２の伝送線５２をデータ線から応答線へ切替え、その後はデータ線へ戻す。応答受信手段６６は、該所定時間内に記録及び／又は再生装置４６から応答がある場合のみ、第２の伝送線５２を介して応答を受信する。
【００５８】
制御装置６３は、制御装置５５（図６）の判定手段５７に相当するものを省略できる。
【００５９】
図８は記録及び／又は再生装置制御方法７０のフローチャートである。記録及び／又は再生装置制御方法７０は、記録及び／又は再生装置４０（図４）に対応し、記録及び／又は再生装置４０に適用される技術事項は記録及び／又は再生装置制御方法７０にも適用可能である。
【００６０】
Ｓ７１では、第１の伝送線５１を介して制御装置５５から制御信号を受信したか否かを判定し、判定が正であれは、Ｓ７２へ進み、否であれば、記録及び／又は再生装置制御方法７０を終了する。Ｓ７２では、受信した制御信号に対して制御装置５５へ応答が必要であるか否かを判定し、判定が正であれば、Ｓ７３へ進み、否であれば、記録及び／又は再生装置制御方法７０を終了する。
【００６１】
Ｓ７３では、第２の伝送線５２を記録及び／又は再生装置４０から制御装置５５への応答線へ切替える。Ｓ７４では、応答線としての第２の伝送線５２を介して制御装置５５へ応答を送信する。Ｓ７５では、第２の伝送線５２をデータ線へ切替える。
【００６２】
図９は記録及び／又は再生装置制御方法８０のフローチャートである。記録及び／又は再生装置制御方法８０は、記録及び／又は再生装置４６（図５）に対応し、記録及び／又は再生装置４６に適用される技術事項は記録及び／又は再生装置制御方法８０にも適用可能である。
【００６３】
第１の伝送線５１を介して制御装置６３制御信号を受信すると（Ｓ８１の判定が正）、第２の伝送線５２をデータ線から応答線へ所定時間だけ切替え、その後はデータ線へ戻す（Ｓ８２）。Ｓ８３では、制御信号に対して制御装置６３へ応答が必要であれば、所定時間内に第２の伝送線５２を介して制御装置６３へ応答を送信する。
【００６４】
図１０は制御装置制御方法９０のフローチャートである。制御装置制御方法９０は、制御装置５５（図６）に対応し、制御装置５５に適用される技術事項は制御装置制御方法９０にも適用可能である。
【００６５】
Ｓ９１では、第１の伝送線５１を介して記録及び／又は再生装置４６へ制御信号を送信する。Ｓ９２では、制御信号に対する記録及び／又は再生装置４６からの応答を待つ必要がある否かを判定し、判定が正であれは、Ｓ９３へ進み、否であれば、制御装置制御方法９０を終了する。
【００６６】
Ｓ９３では、第２の伝送線５２を記録及び／又は再生装置４６から制御装置５５への応答線へ切替える。応答線としての第２の伝送線５２を介して記録及び／又は再生装置４６からの応答を受信すると（Ｓ９４の判定が正）、Ｓ９５において、第２の伝送線５２をデータ線へ切替える。なお、Ｓ９４において、否である判定が所定時間以上継続した場合には、Ｓ９５を強制終了して、Ｓ９５へ進むことも可能である。
【００６７】
図１１は制御信号制御方法１００のフローチャートである。制御信号制御方法１００は、制御装置６３（図７）に対応し、制御装置６３に適用される技術事項は制御信号制御方法１００にも適用可能である。
【００６８】
Ｓ１０１では、第１の伝送線５１を介して記録及び／又は再生装置４６へ制御信号を送信する。Ｓ１０１では、Ｓ１０１の送信後、所定時間内は応答線への第２の伝送線５２の切替を維持し、該所定時間経過後は、第２の伝送線５２をデータ線へ戻す。Ｓ１０３では、所定時間内に限り第２の伝送線５２を介して応答を受信する。
【００６９】
本発明を最良の形態について説明したが、本発明は、これに限定されるものではなく、発明の要旨を逸脱しない範囲で、最良の形態における各構成要素を変形して具体化できる。また、発明の要旨を逸脱しない範囲で、最良の形態に開示されている複数の構成要素を便宜、組み合わせて、追加したり、いくつかの構成要素を削除したりして、種々の発明を形成することができる。さらに、開示した複数の実施形態間で、所定の構成要素を選択し、それらを組み合わせても、種々の発明を形成することができる。
【図面の簡単な説明】
【００７０】
【図１】ＣＤシステム機器及びポータブルＨＤＤ録再機器の接続状態を示す図である。
【図２】ＣＤシステム機器のブロック図である。
【図３】ＣＤシステム機器におけるＣＤの楽曲をポータブルＨＤＤ録再機器のＨＤＤに記録する場合の４極ステレオミニケーブルの各線Ｃ，Ｌにおける信号波形を示す図である。
【図４】記録及び／又は再生装置のブロック図である。
【図５】別の記録及び／又は再生装置のブロック図である。
【図６】制御装置のブロック図である。
【００７１】
【図７】別の制御装置のブロック図である。
【図８】記録及び／又は再生装置制御方法のフローチャートである。
【図９】別の記録及び／又は再生装置制御方法のフローチャートである。
【図１０】制御装置制御方法のフローチャートである。
【図１１】別の制御信号制御方法のフローチャートである。
【図１２】従来のＣＤシステム機器及びポータブルＨＤＤ録再機器の構成及び接続状態についての概略図である。
【符号の説明】
【００７２】
４０：記録及び／又は再生装置、４１：判定手段、４２：切替手段、４３：応答送信手段、４６：記録及び／又は再生装置、４７：切替手段、４８：応答送信手段、５０：ケーブル、５１：第１の伝送線、５２：第２の伝送線、５５：制御装置、５６：制御信号送信手段、５７：判定手段、５８：切替手段、５９：応答受信手段、６３：制御装置、６４：制御信号送信手段、６５：切替手段、６６：応答受信手段、７０：記録及び／又は再生装置制御方法、８０：記録及び／又は再生装置制御方法、９０：制御装置制御方法、１００：制御信号制御方法。
【図１】
0004702046.tif 000002
【図２】
0004702046.tif 000003
【図３】
0004702046.tif 000004
【図４】
0004702046.tif 000005
【図５】
0004702046.tif 000006
【図６】
0004702046.tif 000007
【図７】
0004702046.tif 000008
【図８】
0004702046.tif 000009
【図９】
0004702046.tif 000010
【図１０】
0004702046.tif 000011
【図１１】
0004702046.tif 000012
【図１２】
0004702046.tif 000013